(57)【特許請求の範囲】
【請求項１】
介護者の胴部に装着される介護者用帯状部材と、
前記介護者用帯状部材に取り付けられた２つの帯状辺を有し被介護者を支える被介護者支持用帯状部材と、
前記２つの帯状辺の先端にそれぞれ設けられ、互いに取り外し可能に係止される支持係止具とを備え、
先端が互いに係止された前記２つの帯状辺の内側に位置させた前記被介護者を前記介護者用帯状部材を装着した前記介護者が介護するとき、前記被介護者支持用帯状部材によって前記被介護者が支えられ得る長さで前記被介護者支持用帯状部材が形成され、
前記２つの帯状辺の一方の帯状辺の先端の外側面には、介護者の一方の手を入れる袋状の第１挿入部が設けられるとともに、他方の帯状辺の先端の外側面には、介護者の他方の手を入れる第２挿入部が設けられ、
前記支持係止具は、前記第１挿入部の外表面と前記他方の帯状辺の先端の内側面とにそれぞれ設けられた面ファスナであることを特徴とする介護用帯体。
【請求項２】
前記２つの帯状辺は、それぞれ基端が前記介護者用帯状部材に取り付けられてなり、これら２つの帯状辺は、前記介護者用帯状部材との取付箇所から先端までの長さをそれぞれ調節可能に形成されている請求項１に記載の介護用帯体。
【請求項３】
前記介護者用帯状部材及び前記被介護者支持用帯状部材が、布製の帯でそれぞれ形成されている請求項１又は２に記載の介護用帯体。
【発明の詳細な説明】
【技術分野】
【０００１】
本発明は、被介護者を座っている状態から立たせたり立っている状態から座らせたりする等のときに補助具として使う介護用帯体に関するものである。
【背景技術】
【０００２】
被介護者を例えばベッドと車椅子との間等で移動させる場合、介護者が、ベッドや車椅子に座った被介護者の正面に向かいあい腰を落として中腰の状態で被介護者の脇の下から両手を背中にまわして組んで腕のみの力で被介護者を抱きかかえて立たせ、被介護者を抱きかかえたまま車椅子やベッドに移動させている。その結果、介護者の多くは肉体的負担特に被介護者を抱きかかえて立ち上がらせる際の腰への負担が大きく腰を傷めてしまうことが多い。
【０００３】
被介護者を移動させるときに介護者が補助するときに使う介護用帯体としては、特許文献１に開示されているものが知られている。この介護用帯体は、指の入る程度のメッシュの一定長のネットの一端にリアベルトを取り付け、ネットの他端にフロントベルトを取り付け、フロントベルトの両端に、リアベルトを係止するための係止部を設けたものである。この介護用帯体を使用するには、フロントベルトを被介護者の腰部前面に当てて股間を通してネットを後ろに回し、リアベルトの両端部をフロントベルトの両端の係止部に係止させることによって、介護用帯体が被介護者に装着される。介護用帯体が装着された被介護者を移動させるには、介護者は、被介護者の正面に向かいあい一方の手を被介護者の脇の下から背中にまわし、他方の手でネットをつかむことで、被介護者の移動を行うようにしている。
【先行技術文献】
【特許文献】
【０００４】
【特許文献１】特開平９−１９４６５号公報
【発明の概要】
【発明が解決しようとする課題】
【０００５】
しかしながら、前述の介護用帯体を被介護者に装着して被介護者の移動を行う場合、介護者は、一方の手を被介護者の脇の下から背中にまわし、他方の手でネットをつかむようにするが、介護用帯体を装着していない場合と同様に、特に被介護者を抱きかかえて立たせるのに中腰の状態で腕のみの力で行うので、腰への負担が大きく腰を傷めてしまうことが多い。
【０００６】
本発明が解決しようとする課題は、被介護者を介護する際の介護者にかかる肉体的負担を軽減することにある。
【課題を解決するための手段】
【０００７】
前記課題を解決するため本発明に係る介護用帯体は、介護者の胴部に装着される介護者用帯状部材と、前記介護者用帯状部材に取り付けられた２つの帯状辺を有し被介護者を支える被介護者支持用帯状部材と、前記２つの帯状辺の先端にそれぞれ設けられ、互いに取り外し可能に係止される支持係止具とを備え、先端が互いに係止された前記２つの帯状辺の内側に位置させた前記被介護者を前記介護者用帯状部材を装着した前記介護者が介護するとき、前記被介護者支持用帯状部材によって前記被介護者が支えられ得る長さで前記被介護者支持用帯状部材が形成され、前記２つの帯状辺の一方の帯状辺の先端の外側面には、介護者の一方の手を入れる袋状の第１挿入部が設けられるとともに、他方の帯状辺の先端の外側面には、介護者の他方の手を入れる第２挿入部が設けられ、  前記支持係止具は、前記第１挿入部の外表面と前記他方の帯状辺の先端の内側面とにそれぞれ設けられた面ファスナであることを特徴とする。
【０００８】
これにより、被介護者を例えばベッドから車椅子に移動させる場合、介護者用帯状部材を介護者の胴部に装着する。介護者がベッドの端に座った被介護者の正面に向かいあい、被介護者支持用帯状部材の２つの帯状辺の先端を介護者が被介護者の両脇から背中に位置させて互いに係止させてから、介護者が被介護者の両脇の下から背中にまわした両手で被介護者を抱きかかえて立たせる。このとき、介護者は、両手と被介護者支持用帯状部材の両方で被介護者を支えるので、被介護者を両手の腕でのみ抱きかかえて立たせる際に比して、特に腰への負担が軽減されることになる。
【０００９】
この場合において、２つの帯状辺は、それぞれ基端が前記介護者用帯状部材に取り付けられてなり、これら２つの帯状辺を、介護者用帯状部材との取付箇所から先端までの長さをそれぞれ調節可能に形成することができる。さらに、介護者用帯状部材及び前記被介護者支持用帯状部材を、布製の帯でそれぞれ形成することができる。
【発明の効果】
【００１０】
本発明によれば、被介護者を介護する際の介護者にかかる肉体的負担を軽減することができる。
【図面の簡単な説明】
【００１１】
【図１】本発明に係る一例の実施形態の介護用帯体を示す斜視図である。
【図２】本実施形態の介護用帯体を示す斜視図である。
【図３】本実施形態の介護用帯体における２つの帯状辺の長さが最も長い状態を示す平面図である。
【図４】本実施形態の介護用帯体における２つの帯状辺の長さを調節した状態を示す平面図である。
【図５】本実施形態の介護用帯体における介護者用帯状部材を介護者が装着する際に内側となる介護者用帯状部材の一方の端部を介護者のお腹のところに位置させた状態を示す図である。
【図６】本実施形態の介護用帯体における介護者用帯状部材を介護者が装着した状態を示す図である。
【図７】本実施形態の介護用帯体における被介護者支持用帯状部材の一方の帯状辺の第１挿入部に介護者の一方の手を入れ、他方の帯状辺の第２挿入部に介護者の他方の手を入れた状態を示す図である。
【図８】本実施形態の介護用帯体を装着した介護者が座っている被介護者の正面に向かいあった状態を示す図である。
【図９】本実施形態の介護用帯体を装着した介護者が両手を被介護者の両脇に位置させた状態を示す図である。
【図１０】本実施形態の介護用帯体を装着した介護者が両手を被介護者の背中に位置させた状態を示す図である。
【図１１】本実施形態の介護用帯体を用いて介護者が座っている被介護者を立たせるために抱きかかえた状態を示す図である。
【図１２】本実施形態の介護用帯体を用いて介護者が座っている被介護者を立たせた状態を示す図である。
【図１３】本実施形態の介護用帯体を用いて介護者が被介護者を立たせたとき両手を被介護者から離した状態を示す図である。
【図１４】本実施形態の介護用帯体を用いて介護者が立っている被介護者を座らせた状態を示す図である。
【発明を実施するための形態】
【００１２】
以下、本発明に係る介護用帯体の一例の実施形態を添付図面に基づいて説明する。図１〜図４に示すように、本実施形態の介護用帯体１は、介護者Ａ（図５参照。）の胴部に装着される介護者用帯状部材２と、介護者用帯状部材２に取り付けられ被介護者Ｂ（図８参照。）を支える被介護者支持用帯状部材３とを備えている。介護用帯体１は、自力で身体を動かすことが困難な被介護者Ｂを移動する際や歩行の補助を行う際に補助具として使うものである。本実施の形態では、被介護者Ｂをベッドから車椅子に移乗させる場合について説明するが、これに限定されるものではない。
【００１３】
介護者用帯状部材２は、介護者Ａの胴部に装着することができれば特に限定されず、胴部に巻きつけて装着するもの等が好ましく、皮製や合成樹脂製などのベルトや、皮製や合成樹脂製などの帯でもよいが、布製の帯であることが好ましい。介護者用帯状部材２としては、例えば、和服に用いられる帯等を用いることができる。介護者用帯状部材２の長さ（長手方向の長さ）は、胴部に巻きつけて装着し得る範囲、すなわち、中央部を介護者Ａの胴部の背中にくっつけた状態で両端をおなかの前面に位置させて一端と他端が重なり合う範囲から任意に設定される。介護者用帯状部材２の幅は、特に限定されない。
【００１４】
介護者用帯状部材２の一端と他端とには、互いに取り外し可能でかつ長さ調節可能に係止される装着係止具４が設けられている。装着係止具４は、ベルトを胴部に巻き付けて係止させる手段等特に限定されないが、介護者用帯状部材２の一端の外側面と他端の内側面とにそれぞれ設けられた互いに着脱可能に係止する一対の面ファスナ４１、４２を用いることが好ましい。面ファスナ４１、４２の幅は、例えば、介護者用帯状部材２の幅より若干小さな幅で形成され、かつ、長さ（介護者用帯状部材２の長手方向の長さ）は、介護者用帯状部材２の係止が確実に行われる範囲から任意に設定される。また、介護者用帯状部材２の一端の外側面に設けられる面ファスナ４１は、介護者Ａの胴部の長さが異なっても長さを調節し得るように長手方向の長さをできるだけ長く形成することが好ましい。これにより、介護者用帯状部材２を介護者Ａの胴部に応じて巻きつけて簡単に装着することが可能となる。
【００１５】
被介護者支持用帯状部材３は、被介護者Ｂを支えるもので、例えば、介護者用帯状部材２の外表面に取り付けられた２つの帯状辺３１、３１を有している。被介護者支持用帯状部材３は、介護者用帯状部材２と別部材で形成してもよいが、同じ部材で形成することが好ましい。すなわち、被介護者支持用帯状部材３は、皮製や合成樹脂製などのベルトや、皮製や合成樹脂製などの帯でもよいが、布製の帯であることが好ましい。２つの帯状辺３１、３１は、１つの帯部材の中央部を介護者用帯状部材２に縫い付けるなどの接合等により取り付けて形成してもよいし、２つの帯状部材をそれぞれ介護者用帯状部材２に接合等により取り付けて形成してもよいが、本実施形態では、１つの帯部材を用いる場合について説明する。被介護者支持用帯状部材３の中央部の内側面と、被介護者支持用帯状部材３より長手方向の長さが短い介護者用帯状部材２の中央部の外側面とを重ね合わせて互いに縫い付けることにより、被介護者支持用帯状部材３が介護者用帯状部材２に取り付けられて被介護者支持用帯状部材３の介護者用帯状部材２の取付箇所より両先端が２つの帯状辺３１、３１となる。
【００１６】
２つの帯状辺３１、３１の一方の先端の外側面には、介護者Ａの一方の手を入れる第１挿入部３２が設けられているとともに、他方の帯状辺３１の先端の外側面には、介護者Ａの他方の手を入れる第２挿入部３３が設けられていることが好ましい。これら２つの挿入部の一方例えば第１挿入部３２は、帯状辺３１の先端とは反対側が開口された袋状に形成されている。第１挿入部３２は、例えば、帯状辺３１の幅と略同じ幅で、大人の手の指と甲の一部や全体（略全体を含む）が入る深さで形成されている。他方の挿入部例えば第２挿入部３３は、大人の手全体が挿入されるように形成してもよいが、第２挿入部３３に挿入された手が簡単に第２挿入部３３から抜けるように、例えば、親指を出した状態で挿入されるように形成されていることが好ましい。すなわち、第２挿入部３３への手の挿入は、手の全体を第２挿入部３３に挿入してもよいが、親指を出した状態で挿入することが好ましい。第２挿入部３３は、例えば、親指を出した状態（親指を第２挿入部３３の外側に位置させた状態）で大人の手の親指以外の４本の指と甲の一部が入る大きさで形成されていれば袋状等その形状は特に限定されないが、例えば、帯状辺３１の幅方向に延びるバンド状の挿入辺３３ａを有して形成されている。挿入辺３３ａは、その個数は特に限定されないが、２つ以上、例えば、長手方向に間隔をあけて２つからなることが好ましい。各挿入辺３３ａは、両端が帯状辺３１の両側の側端部にそれぞれ取り付けられているとともに、帯状辺３１の長手方向の長さが、例えば、２〜４ｃｍ程度の寸法で形成されてなる。
【００１７】
２つの帯状辺３１、３１の先端には、互いに取り外し可能に係止される支持係止具５が設けられている。支持係止具５は、２つの帯状辺３１、３１の着脱を行えれば特に限定されないが、互いに簡単に着脱可能に係止されるものが好ましく、例えば、互いに着脱可能で多少の長さ調節可能に係止する一対の面ファスナ５１、５２を用いることが特に好ましい。一対の面ファスナ５１、５２は、例えば、一方の帯状辺３１の第１挿入部３２の外側面と、他方の帯状辺３１の先端の内側面（第２挿入部３３とは反対側の面）とにそれぞれ設けられている。なお、第１挿入部３２及び第２挿入部３３は、２つの帯状辺３１、３１に設けなくてもよいし、また、一対の面ファスナ５１、５２は、２つの帯状辺３１、３１に直接設けるようにしてもよい。
【００１８】
被介護者支持用帯状部材３すなわち帯状辺３１、３１の長さは、先端が互いに係止された２つの帯状辺３１、３１の内側に位置させた被介護者Ｂを介護者用帯状部材２を装着した介護者Ａが介護するとき、被介護者支持用帯状部材３によって被介護者Ｂが支えられ得る寸法で形成されている。すなわち、介護者用帯状部材２を装着した介護者Ａが正面に向かいあった被介護者Ｂの両脇から背中に位置させた２つの帯状辺３１、３１の先端を互いに係止させるとともに、被介護者Ｂの両脇の下から背中に介護者Ａの両手をまわした状態で、座っている被介護者Ｂを立たせるとき、又は、立っている被介護者Ｂを座らせるとき、介護者Ａの両手と被介護者支持用帯状部材３の両方で被介護者Ｂが支えられるように、被介護者支持用帯状部材３すなわち帯状辺３１、３１の長さが設定される。また、介護者用帯状部材２を装着した介護者Ａが正面に向かいあった被介護者Ｂの両脇から背中に位置させた２つの帯状辺３１、３１の先端を互いに係止させた状態で、介護者Ａ及び被介護者Ｂの両者が立っているとき、被介護者Ｂを支える、特に被介護者Ｂが背中から後ろに倒れるのを防止すべく被介護者Ｂを支えるように、被介護者支持用帯状部材３すなわち帯状辺３１、３１の長さが設定される。
【００１９】
また、２つの帯状辺３１、３１の長さをそれぞれ個別に調節する調節部６が設けられていることが好ましい。調節部６は、２つの帯状辺３１、３１の長さをそれぞれ個別に調節することができれば特に限定されず、例えば、ベルトの長さを調節する手段等を用いてもよいが、面ファスナを用いることが好ましい。すなわち、調節部６は、帯状辺３１の外側面に取り付けられた調節辺６１と、調節辺６１の内側面に取り付けられた第１面ファスナ６２と、被介護者支持用帯状部材３の外側面に取り付けられた第２面ファスナ６３とからなることが好ましい。
【００２０】
調節辺６１は、例えば、帯状辺３１と同じ布製の帯等が用いられ、幅が帯状辺３１の幅より短い例えば若干短い寸法で、長さ（幅と直交する方向の長さ）が幅より長い例えば幅より1.5倍程度長い寸法で形成されている。調節辺６１は、帯状辺３１の外側面に重ねた状態で帯状辺３１の先端側の端部（第１端部）が接合例えば互いに縫い付けられて、帯状辺３１に取り付けられている。これにより、調節辺６１は、第１端部より帯状辺３１の基端側の端部が帯状辺３１に対して自由に動く自由端となっている。また、調節辺６１の帯状辺３１の外側面に取り付ける箇所は、特に限定されないが、介護者用帯状部材２を介護者Ａの胴部に装着したとき、調節辺６１の自由端が介護者Ａの胴部の脇（横っ腹）又は脇近傍に位置される箇所であることが好ましい。調節辺６１の内側面には、第１面ファスナ６２が取り付けられている。
【００２１】
第１面ファスナ６２は、例えば、帯状辺３１に対して自由に動く調節辺６１の内側面の略全体に取り付けられていることが好ましい。第１面ファスナ６２と着脱可能に係止する第２面ファスナ６３は、被介護者支持用帯状部材３の外側面に設けられている。第２面ファスナ６３は、被介護者支持用帯状部材３の幅より若干短い寸法の幅で幅と直交する方向が幅より長く形成されている。また、第２面ファスナ６３は、第１面ファスナ６２と係止していないとき、長手方向の一端が一方の帯状辺３１の第１面ファスナ６２の一部例えば自由端と対向して係止可能で、かつ、長手方向の他端が他方の帯状辺３１の第１面ファスナ６２の一部例えば自由端と対向して係止可能な長さで形成され、被介護者支持用帯状部材３の外側面に取り付けられている。これにより、第２面ファスナ６３に対する第１面ファスナ６２の係止位置を被介護者支持用帯状部材３の長手方向に調節することにより、各帯状辺３１の長さをそれぞれ個別に調節できるようになっている。なお、第２面ファスナ６３は、１つの面ファスナを被介護者支持用帯状部材３の外側面に取り付けたが、これに限定されず、２つの調節辺６１毎に対応する２つの面ファスナを被介護者支持用帯状部材３の外側面に取り付けるようにしてもよい。
【００２２】
さて、この介護用帯体１を用いて例えば被介護者Ｂをベッドから車椅子に移動させる場合には、まず、介護者用帯状部材２を介護者Ａの胴部に装着する。すなわち、介護者用帯状部材２の内側面の中央部を介護者Ａの背中に位置させるとともに、介護者用帯状部材２の両端をお腹の前に位置させる。このとき、面ファスナ４１が外側面に設けられている側の端部（第１端部）の内側面をお腹につけた状態のまま残りの端部（第２端部）を第１端部に重ね合わして互いに面ファスナ４１、４２同士を係止させる（図５及び図６参照。）。これにより、介護者用帯状部材２が介護者Ａの胴部に巻きつけられた状態で装着される。
【００２３】
次に、被介護者支持用帯状部材３の２つの帯状辺３１の第１挿入部３２及び第２挿入部３３に両手を挿入する。すなわち、例えば、介護者用帯状部材２を介護者Ａの胴部に装着した状態で第１挿入部３２が右側の帯状辺３１に位置されている場合には、右手を第１挿入部３２に挿入するとともに、左手を左側に位置されている帯状辺３１の第２挿入部３３に親指を出した状態で挿入する（図７参照。）。挿入後、介護者Ａは、例えば、ベッドに寝ている場合には、予めベッドの側に座らせておいた被介護者Ｂの正面に向かいあい腰を落として中腰の状態で被介護者Ｂの脇の下から両手を２つの帯状辺３１、３１とともに背中にまわして組む（図８〜図１１参照。）。このとき、右手を下にして右手の上に左手を重ねて２つの帯状辺３１、３１を一対の面ファスナ５１、５２で互いに係止させる。なお、被介護者Ｂがベッドに寝ている場合には、被介護者Ｂを予めベッドの側に座らせておく。また、図８〜図１４は、介護者Ａと被介護者Ｂとの関係が分かり易いように被介護者Ｂを椅子から立ち上がらせてから椅子に座らせる場合について説明した図である。
【００２４】
介護者Ａが両手を２つの帯状辺３１、３１とともに背中にまわして組んだ状態のまま、被介護者Ｂを抱きかかえて立たせる（図１２参照。）。これにより、介護者Ａにかかる肉体的負担を軽減することができる。すなわち、介護者Ａにかかる肉体的負担は、被介護者Ｂを中腰の状態で抱きかかえて立たせる場合で従来のように両手のみで行うと、両腕へのみ負担がかかるが、本実施形態では、介護者Ａが両手を２つの帯状辺３１とともに背中にまわして組んで被介護者Ｂを抱きかかえて立たせるとき、両手と被介護者支持用帯状部材３の両方によって被介護者Ｂが支えられる。つまり、被介護者支持用帯状部材３（２つの帯状辺３１、３１）にテンションがかかり被介護者Ｂの体重の一部が被介護者支持用帯状部材３を介して介護者の腰や身体全体で支えられる。よって、被介護者Ｂを両手でのみ抱きかかえて立たせる際に比して、介護者Ａにかかる肉体的負担を軽減することができる。
【００２５】
また、被介護者Ｂを抱きかかえたまま車椅子の近くに移動させた後に、被介護者Ｂを抱きかかえたまま車椅子に座らせる（図１４参照。）。すなわち、被介護者Ｂの両膝の後ろに車椅子の椅子の先端が近づくように介護者Ａを移動させた後に、介護者Ａが両手を２つの帯状辺３１とともに背中にまわして組んで立っている被介護者Ｂを抱きかかえたまま、被介護者Ｂを車椅子に座らせる。このとき、介護者Ａは、中腰になり介護者Ａにかかる肉体的負担が大きくなるが、両手と被介護者支持用帯状部材３の両方によって被介護者Ｂが支えられるので、被介護者Ｂを両手でのみ抱きかかえて座らせる際に比して、介護者Ａにかかる肉体的負担を軽減することができる。
【００２６】
したがって、本実施形態の介護用帯体１は、被介護者Ｂを介護する際の介護者Ａにかかる肉体的負担特に腰への負担を軽減することができる。また、本実施形態の介護用帯体１が布製の帯で形成されていることで、容易に折ったりできコンパクトにできるので、取り扱いが容易で便利であり、簡単な構造で低コストで、かつ、汎用性が高いものである。
【００２７】
介護者Ａが２つの帯状辺３１の第１挿入部３２及び第２挿入部３３に両手を挿入し、この両手を２つの帯状辺３１とともに被介護者Ｂの背中にまわして右手の上に左手を重ねて組んで、２つの帯状辺３１、３１を一対の面ファスナ５１、５２で互いに係止させたとき、介護者Ａの両手を組んだ右手と左手の間に一対の面ファスナ５１、５２が位置されているから、２つの帯状辺３１、３１を係止する一対の面ファスナ５１、５２は確実に係止されているので、安全に被介護者Ｂの介護を行える。また、被介護者Ｂを立たせたとき、介護者Ａが両手を２つの帯状辺３１の第１挿入部３２及び第２挿入部３３から抜いても（図１３参照。）、２つの帯状辺３１は面ファスナ５１、５２で互いに係止されているので、介護者Ａの両手が帯状辺３１から離れても、被介護者Ｂに不安感や恐怖感がない。このとき、特に被介護者Ｂが背中から後ろに倒れようとしても被介護者支持用帯状部材３によって防止されるので、被介護者Ｂに不安感や恐怖感がない。その結果、介護者Ａは、両手で被介護者Ｂの着衣の乱れを直せたり衣類を着せたり脱がせたり等のお世話を行うことができる。さらに、親指を出した状態で第２挿入部３３に手を挿入することで、第２挿入部３３に挿入された手が簡単に第２挿入部３３から抜けるから、介護の途中で転倒などの危険等がある場合には、咄嗟に第２挿入部３３から手を抜きこの手で危険等に対処することができ、被介護者Ｂを安全に介護することができる。
【００２８】
介護者用帯状部材２の一端と他端とに互いに、取り外し可能でかつ長さ調節可能に係止される装着係止具４例えば一対の面ファスナ４１、４２が設けられていることで、介護者Ａの胴部への介護者用帯状部材２の装着を容易に行え、かつ、介護者Ａの胴部の長さが違っても対応することができ、汎用性が高い。また、２つの帯状辺３１の長さが調節部６によってそれぞれ調節可能になっていることで、介護者Ａや被介護者Ｂに応じて帯状辺３１の長さをそれぞれ個別に調節することができるので、適切に被介護者Ｂの介護を行える。さらに、調節辺６１は、調節辺６１の自由端が介護者Ａの胴部の脇（横っ腹）又は脇近傍に位置されるように帯状辺３１の外側面に取り付けられていることで、第１面ファスナ６２を第２面ファスナ６３に係止させて帯状辺３１の長さを調節したとき、第１面ファスナ６２と第２面ファスナ６３とが互いに係止する箇所が介護者Ａの胴部の脇（横っ腹）や脇から背中にかけた位置であるから、第１面ファスナ６２と第２面ファスナ６３との係止が解除され難いので、被介護者Ｂを本実施形態の介護用帯体１を用いて安全に介護することができる。
【００２９】
第１挿入部３２と第２挿入部３３との形状を異ならせることで、どちらが上に位置させるか、また、どちらが親指を出した状態で挿入するものであるか容易に分かるので、使い勝手に優れている。また、本実施形態の介護用帯体１は、右手を第１挿入部３２に挿入して使いたいときには、第１挿入部３２が設けられている帯状辺３１が右側に位置されるように、介護者用帯状部材２を介護者Ａの胴部に巻きつけ、逆に、左手を第１挿入部３２に挿入して使いたいときには、第１挿入部３２が設けられている帯状辺３１が左側に位置されるように、介護者用帯状部材２を介護者Ａの胴部に巻きつけることができるので、簡単に左右を変えられるので、使い勝手に優れ、かつ、汎用性が高いものである。さらに、第２挿入部３３が２つ以上の挿入辺３３ａで形成されていることで、介護の途中等で１つの挿入辺３３ａが切れたり等して使えなくなっても残りの挿入辺３３ａを使えるので、被介護者Ｂに不安感を与えることなく安全に介護を行える。
【符号の説明】
【００３０】
１  介護用帯体
２  介護者用帯状部材
３  被介護者支持用帯状部材
４  装着係止具
５  支持係止具
６  調節部
３１  帯状辺
３２  第１挿入部
３３  第２挿入部
４１  面ファスナ
４２  面ファスナ
５１  面ファスナ
５２  面ファスナ
６１  調節辺
６２  第１面ファスナ
６３  第１面ファスナ
Ａ  介護者
Ｂ  被介護者
【図１】
0005450705.tif 000002
【図２】
0005450705.tif 000003
【図３】
0005450705.tif 000004
【図４】
0005450705.tif 000005
【図５】
0005450705.tif 000006
【図６】
0005450705.tif 000007
【図７】
0005450705.tif 000008
【図８】
0005450705.tif 000009
【図９】
0005450705.tif 000010
【図１０】
0005450705.tif 000011
【図１１】
0005450705.tif 000012
【図１２】
0005450705.tif 000013
【図１３】
0005450705.tif 000014
【図１４】
0005450705.tif 000015